(57)【要約】【課題】複列の転動体を単一の保持器で保持しても、グリースを封入できる軸受内部空間を十分に確保でき、かつ、軸方向に並ぶ転動体の軸受中心側を十分に潤滑できるようにすることである。【解決手段】転動体群として複列に配列されたボール３ａ、３ｂを一緒に保持する単一の保持器４を、軸方向に並ぶボール３ａ、３ｂを介在物で隔てることなく１組に保持する組保持部４ａが、円周方向に連結部４ｂで複数連結されたものとすることにより、グリースを封入できる軸受内部空間を十分に確保でき、かつ、軸方向に並ぶ複列のボール３ａ、３ｂの軸受中心側を十分に潤滑できるようにした。【選択図】図２
2008064278.tif 000002
【特許請求の範囲】
【請求項１】
複列転がり軸受の軸方向で複列に配列された転動体群の各列の転動体同士を、円周方向に所定間隔で保持する複列転がり軸受用保持器において、前記転動体群のうちの軸方向に並ぶ転動体を介在物で隔てることなく１組に保持する組保持部を、円周方向に複数設けたことを特徴とする複列転がり軸受用保持器。
【請求項２】
前記組保持部が、前記軸方向に並ぶ各転動体を、これらの転動体の一部に沿う形状に形成された円周方向で対向する周方向当接部に当接させて、前記各列の転動体同士を円周方向に所定間隔で保持するものである請求項１に記載の複列転がり軸受用保持器。
【請求項３】
前記組保持部に、前記転動体が１組に保持される内側と外側とを軸方向に連通する不連続部を設けた請求項１または２に記載の複列転がり軸受用保持器。
【請求項４】
前記複数の組保持部を円周方向に間隔を開けて連結する連結部を設けた請求項１乃至３のいずれかに記載の複列転がり軸受用保持器。
【請求項５】
内輪と外輪の軌道面間に転動体群を軸方向で複列に配列して、これらの転動体群の各列の転動体同士を保持器で円周方向に所定間隔で保持し、前記保持器で保持された転動体群が配列された内輪と外輪の軌道面間の軸受内部空間にグリースを封入し、このグリースを封入した軸受内部空間をシール部材でシールした複列転がり軸受において、前記保持器を請求項１乃至４のいずれかに記載の保持器としたことを特徴とする複列転がり軸受。
【発明の詳細な説明】
【技術分野】
【０００１】
本発明は、複列転がり軸受用保持器と複列転がり軸受に関する。
【背景技術】
【０００２】
内輪と外輪の軌道面間に転動体群を軸方向で複列に配列した複列転がり軸受は、１列ずつの転動体をそれぞれ別々に、単列転がり軸受と同様の保持器で保持したものが多い。これらの保持器には種々の形態のものがあるが、１つの保持器は、転動体が存在しない軸方向の少なくとも１箇所で円周方向に繋がっている必要があるので、このように、１列ずつの転動体を別々の保持器で保持した複列転がり軸受は、転動体が存在しない軸方向の少なくとも列数分の複数箇所に保持器の周方向繋がり部が存在することになり、軸受のコンパクト化が阻害される。
【０００３】
一方、複列転がり軸受には、複列の転動体群を一体物として取り扱いやすくするために、２列の転動体としてのボールの間に配設した周方向繋がり部の軸方向両側に各列のボールの保持部を設けた単一の保持器で、２列のボールを一緒に保持するようにした複列玉軸受がある（例えば、特許文献１参照）。
【０００４】
また、複列転がり軸受には、内外輪の軌道輪の両方を一体部品としたもの、軌道輪のいずれか一方を別体部品としたもの、および、単列転がり軸受を軸方向に隣り合わせに組み合わせて、両方の軌道輪を別体部品としたものがある。
【０００５】
前記複列転がり軸受の組み立て方法は、単列転がり軸受の組み立て方法と同様に、内外輪の軌道面間に転動体を先に組み込み、後から保持器を内外輪の間へ軸方向から挿入する方法と、転動体を保持した保持器を一方の軌道輪に組み付け、後から他方の軌道輪を組み付ける方法とに大別される。複列玉軸受では、主として前者の方法が採用され、複列ころ軸受では、主として後者の方法が採用される。なお、内外輪の軌道面間に転動体を組み込む際には、両者を偏心させて片側の隙間を大きくし、この大きくした隙間から軸方向に転動体を組み込むことが多いが、転動体を組み込みやすくするために、軌道輪の一方に転動体の入れ溝を形成することもある。
【０００６】
【特許文献１】特開平７−１９２３９号公報
【発明の開示】
【発明が解決しようとする課題】
【０００７】
近年、各種装置のコンパクト化に伴い、これらの装置に採用される複列転がり軸受もコンパクト化の要求を受けている。特許文献１に記載されたような複列の転動体群を単一の保持器で一緒に保持する複列転がり軸受は、保持器の周方向繋がり部を軸方向の１箇所のみとすることができるので軸受をコンパクト化できるが、複列の転動体間の環状空間が周方向繋がり部によって大部分占有されるので、グリースを封入できる軸受内部空間が少なくなり、グリース寿命に起因する軸受寿命が短くなる問題がある。また、温度上昇量が大きく、より厳しい潤滑条件となる軸方向に並ぶ転動体の軸受中心側を十分に潤滑できない問題もある。
【０００８】
さらに、特許文献１に記載された複列玉軸受の保持器は、周方向繋がり部の両側に各列のボールの保持部が設けられているので、複列玉軸受の組み立てに多く採用される、内外輪の軌道面間に転動体を先に組み込み、後から保持器を内外輪の間へ軸方向から挿入する方法で軸受を組み立てることができない難点もある。
【０００９】
そこで、本発明の課題は、複列の転動体を単一の保持器で保持しても、グリースを封入できる軸受内部空間を十分に確保でき、かつ、軸方向に並ぶ転動体の軸受中心側を十分に潤滑できるようにすることである。
【課題を解決するための手段】
【００１０】
上記の課題を解決するために、本発明は、複列転がり軸受の軸方向で複列に配列された転動体群の各列の転動体同士を、円周方向に所定間隔で保持する複列転がり軸受用保持器において、前記転動体群のうちの軸方向に並ぶ転動体を介在物で隔てることなく１組に保持する組保持部を、円周方向に複数設けた構成を採用した。
【００１１】
すなわち、転動体群のうちの軸方向に並ぶ転動体を介在物で隔てることなく１組に保持する組保持部を、円周方向に複数設けることにより、グリースを封入できる軸受内部空間を十分に確保でき、かつ、軸方向に並ぶ転動体の軸受中心側を十分に潤滑できるようにした。
【００１２】
前記組保持部は、前記軸方向に並ぶ各転動体を、これらの転動体の一部に沿う形状に形成された円周方向で対向する周方向当接部に当接させて、前記各列の転動体同士を円周方向に所定間隔で保持するものとすることができる。
【００１３】
前記組保持部に、前記転動体が１組に保持される内側と外側とを軸方向に連通する不連続部を設けることにより、軸受を組み立てる際に、内外輪の軌道面間に転動体を先に組み込み、後から保持器を内外輪の間へ軸方向から挿入する方法を採用することができ、複列玉軸受に好適なものとすることができる。
【００１４】
前記複数の組保持部を円周方向に間隔を開けて連結する連結部を設けることにより、隣り合う組保持部同士の間に空間を空けて、グリースを封入できる軸受内部空間をより広く確保することができる。
【００１５】
また、本発明は、内輪と外輪の軌道面間に転動体群を軸方向で複列に配列して、これらの転動体群の各列の転動体同士を保持器で円周方向に所定間隔で保持し、前記保持器で保持された転動体群が配列された内輪と外輪の軌道面間の軸受内部空間にグリースを封入し、このグリースを封入した軸受内部空間をシール部材でシールした複列転がり軸受において、前記保持器を上述したいずれかの保持器とした構成を採用することにより、グリースを封入できる軸受内部空間を十分に確保でき、かつ、軸方向に並ぶ転動体の軸受中心側を十分に潤滑できるようにした。
【発明の効果】
【００１６】
本発明の複列転がり軸受用保持器は、転動体群のうちの軸方向に並ぶ転動体を介在物で隔てることなく１組に保持する組保持部を、円周方向に複数設けたので、グリースを封入できる軸受内部空間を十分に確保でき、かつ、軸方向に並ぶ転動体の軸受中心側を十分に潤滑することができる。
【００１７】
前記組保持部に、転動体が１組に保持される内側と外側とを軸方向に連通する不連続部を設けることにより、軸受を組み立てる際に、内外輪の軌道面間に転動体を先に組み込み、後から保持器を内外輪の間へ軸方向から挿入する方法を採用することができ、複列玉軸受に好適なものとすることができる。
【００１８】
前記複数の組保持部を円周方向に間隔を開けて連結する連結部を設けることにより、隣り合う組保持部同士の間に空間を空けて、グリースを封入できる軸受内部空間をより広く確保することができる。
【００１９】
また、本発明の複列転がり軸受は、保持器に上述したいずれかの保持器を用いたので、グリースを封入できる軸受内部空間を十分に確保でき、軸方向に並ぶ転動体の軸受中心側を十分に潤滑することができる。
【発明を実施するための最良の形態】
【００２０】
以下、図面に基づき、本発明の実施形態を説明する。この複列転がり軸受は、図１に示すように、内輪１と外輪２の両方が一体部品とされ、これらの内輪１と外輪２の軌道面１ａ、２ａ間に、転動体群として軸方向で複列に配列されたボール３ａ、３ｂを、単一の保持器４で保持した複列玉軸受であり、グリースが封入される軸受内部空間が、外輪２の両端部に装着されたシール部材７でシールされている。
【００２１】
前記保持器４はナイロン樹脂（ＰＡ６６、ＰＡ４６等）の射出成形で形成されたものであり、図２に示すように、軸方向に並ぶ各列のボール３ａ、３ｂを介在物で隔てることなく１組に保持する組保持部４ａが、円周方向で間隔を開けて連結部４ｂで連結されている。したがって、グリースを封入できる軸受内部空間が、各組保持部４ａに保持されたボール３ａ、３ｂ間の環状空間と、連結部４ｂで連結された各組保持部４ａ間の空間とに十分に確保されるとともに、軸方向に並ぶボール３ａ、３ｂの軸受中心側が十分に潤滑される。
【００２２】
前記組保持部４ａは、一方の列のボール３ａの一部に沿う形状に形成された円周方向で対向する周方向当接部５ａと、他方のボール３ｂの一部に沿う形状に形成された円周方向で対向する周方向当接部５ｂとを有し、対向する周方向当接部５ｂは、ボール３ｂの軸方向一端側に当接される軸方向当接部５ｃで連なっている。また、ボール３ａを保持する側には、組保持部４ａの内側と外側とを軸方向に連通する不連続部６が設けられており、組保持部４ａを撓み変形させて、不連続部６から各ボール３ａ、３ｂを通すことができるようになっている。
【００２３】
図示は省略するが、上述した複列玉軸受を組み立てる際は、内輪１と外輪２の軌道面１ａ、２ａ間に各列のボール３ａ、３ｂを先に組み込み、この組み込んだボール３ａ、３ｂを治具によって所定の位相位置に仮保持しておき、後から保持器４を、組保持部４ａの不連続部６を先にして、内輪１と外輪２の間へ軸方向から挿入し、ボール３ａ、３ｂの仮保持用の治具を軸方向に抜き取りながら、不連続部６を通して各列のボール３ａ、３ｂを組保持部４ａの内側に組み込むことができる。
【００２４】
上述した実施形態では、複列転がり軸受を複列玉軸受とし、転動体群として同サイズで２列に配列されたボールを単一の保持器で保持するようにしたが、本発明に係る複列転がり軸受は、転動体群として円筒ころ、円錐ころ、たる形ころ等を複列に配列した複列ころ軸受にも適用でき、各列で異なるサイズの転動体を単一の保持器で保持したり、３列以上に配列された転動体を単一の保持器で保持することもできる。
【００２５】
また、上述した実施形態では、複列転がり軸受を、軸受内部空間がシール部材でシールされる密封タイプのものとしたが、本発明に係る複列転がり軸受用保持器は、潤滑剤が外部から供給されるタイプの複列転がり軸受にも適用でき、この場合は、軸方向に並ぶ転動体の軸受中心側に多量の潤滑剤を供給し、転動体の軸受中心側を十分に潤滑できるとともに、潤滑剤の冷却効果を高めて、軸受中心側の温度上昇を抑制することができる。
【００２６】
上述した実施形態では、保持器をナイロン樹脂で形成したが、本発明にかかる複列転がり軸受用保持器は、他の樹脂や、鋼（Ｓ５５Ｃ、Ｓ１０Ｃ等）等の金属で形成することもでき、金属で形成する場合は、組保持部に転動体を組み込めるように、組保持部を薄肉で撓み変形が可能なものとすればよい。
【００２７】
上述した実施形態では、保持器の組保持部を、軸方向で真横の同一位相に並ぶ転動体を保持するものとしたが、組保持部を螺旋状に延びるものとして、軸方向に斜めの異なる位相に並ぶ転動体を保持したり、軸方向に延びる組保持部を半径方向に傾斜させて、異なるピッチ円直径で軸方向に並ぶ転動体を保持するものとすることもできる。
【００２８】
また、上述した実施形態では、保持器の組保持部の軸方向一端側に不連続部を設けたが、転動体を保持した保持器を一方の軌道輪に先に組み付ける複列ころ軸受等の場合は、不連続部を設けないものとすることもできる。不連続部を設けない組保持部を軸方向に分割可能とすれば、転動体と保持器本体を内外輪間に組み込んだ後、分割した組保持部を保持器本体と軸方向反対側から内外輪間に挿入することができ、内外輪間に先に転動体を組み込む複列玉軸受等にも適用することができる。
【００２９】
さらに、上述した実施形態では、保持器の組保持部を円周方向に間隔を開けて連結部で連結したが、連結部を組保持部に置き換え、組保持部を円周方向に連続するように設けることもできる。
【図面の簡単な説明】
【００３０】
【図１】複列玉軸受の実施形態を示す縦断面図
【図２】図１のボールを保持した保持器の部分展開平面断面図
【符号の説明】
【００３１】
１  内輪
２  外輪
１ａ、２ａ  軌道面
３ａ、３ｂ  ボール
４  保持器
４ａ  組保持部
４ｂ  連結部
５ａ、５ｂ、５ｃ  当接部
６  不連続部
７  シール部材
【図１】
2008064278.tif 000003
【図２】
2008064278.tif 000004